(57)【要約】【課題】用水路から水田に流入する水の勢いを予め減殺して水田に供給することで、田面が削剥されて稲が流失することや、稲の生育が阻害される不生育域が形成される事態を防止する田面削剥防止桝を提供する。【解決手段】畦２１に埋設する基体２には、用水路２２に連通する流入口が一側に形成してあり、流入口に対向する他側は開放している。用水路２２と流入口は給水管で連通してある。基体２内は、流入口に対向して緩衝板６を設けることにより水勢減衰域７が画成してあり、緩衝板６に対向して高さの低い溢流板８を設けることにより溢流域９が画成してある。用水路２２から供給される水は、緩衝板６に当り、また水勢減衰域７、溢流域９で水圧が減じられて緩やかに水田２４に流入する。【選択図】図３
2010004845.tif 000002
【特許請求の範囲】
【請求項１】
用水路に連通する流入口を一側に有し、該流入口に対向する他側が開放した基体と、前記流入口に対向して該基体内に設けられ、基体内に水勢減衰域を画成する緩衝板とから構成してなる田面削剥防止桝。
【請求項２】
前記基体には、前記緩衝板より下流側に離間して該緩衝板より高さが低い溢流板を設け、該基体内に溢流域を画成してあることを特徴とする請求項１記載の田面削剥防止桝。
【請求項３】
前記基体は、外面を凹凸のある地盤係止面に形成してあることを特徴とする請求項１又は２のいずれかに記載の田面削剥防止桝。
【請求項４】
前記基体には、前記緩衝板及び／又は溢流板を着脱可能に設けてあることを特徴とする請求項１、２又は３のいずれかに記載の田面削剥防止桝。
【発明の詳細な説明】
【技術分野】
【０００１】
本発明は、用水路から水田に供給する水の勢を減殺し、水圧により田面が削剥されて稲が流失したり、稲の不生育域が形成されるのを防止するための田面削剥防止桝に関する。
【背景技術】
【０００２】
用水路から水田に水を供給する従来の方法は、図４及び図５に示すように、畦２１に設けた用水路２２に給水管２３を連通して畦２１に埋設し、給水管２３の先端開口は水田２４に向けた状態にしてある。そして、用水路２２の水は給水管２３から自然落下により水田２４に放出させている。
【０００３】
この方法は、水田２４より高い位置の用水路２２から給水管２３を介して水を自然落下により勢いよく水田２４に放出させるため、水圧で田面２４Ａが抉られて稲が流され、また田面２４Ａには給水管２３の先端開口から直線方向に帯状の削剥痕が形成されて稲の不生育域を形成してしまうという問題がある。しかし、この問題を効果的に解決する手段が無いため、農家では古タイヤを切断した円弧状の障害物を給水管２３の先端開口から約１ｍ離して対向するように田面２４Ａに配置したり、先端開口の前にブロックなどを設置し、水圧を減殺して田面２４Ａに掘削痕が形成されるのを防止している。
【特許文献１】なし
【非特許文献１】なし
【発明の開示】
【発明が解決しようとする課題】
【０００４】
しかし、古タイヤやブロックなどの障害物は水田中に設置するものであるため、設置した水田の一部は不育成域になるという問題がある。また、これらの障害物は軟弱な田面２４Ａ上に配置するために安定性に欠けており、重量で沈み、或いは水圧で次第に位置ズレすることから、水圧を確実に減殺することができないという欠点がある。また、ブロックなどを水田の中に設置したままにしておくと、農作業の邪魔になるため片付け作業も必要になるという欠点もある。
【０００５】
本発明は上述した従来技術の諸欠点に鑑みなされたもので、用水路から水田に流入する水の勢いを予め減殺して水田に供給するようにしたから、田面が削剥されて稲が流失することや、稲の生育が阻害される不生育域が形成される事態を防止することのできる田面削剥防止桝を提供することを目的とする。
【課題を解決するための手段】
【０００６】
上述した課題を解決するために構成した本発明の手段は、用水路に連通する流入口を一側に有し、該流入口に対向する他側が開放した基体と、前記流入口に対向して該基体内に設けられ、基体内に水勢減衰域を画成する緩衝板とからなる。
【０００７】
そして、前記基体には、前記緩衝板より下流側に離間して該緩衝板より高さが低い溢流板を設け、該基体内に溢流域を画成するとよい。
【０００８】
また、前記基体は、外面を凹凸のある地盤係止面に形成するとよい。
【０００９】
更に、前記基体には、前記緩衝板及び／又は溢流板を着脱可能に設けるとよい。
【発明の効果】
【００１０】
本発明は叙上の如く構成したから、下記の諸効果を奏する。
（１）用水路と水田との間に田面削剥防止桝を設置し、緩衝板により画成した水勢減衰域で水圧を減じて水田に給水するようにしたから、水圧で稲が流失する事態や、田面が抉られて稲の不生育域が形成される事態を防止することができる。
（２）田面削剥防止桝は畦に設置するので、水田における農作業の邪魔になることがないし、片付け作業も不要であり、農作業の効率化を図ることができる。
（３）基体には、緩衝板より下流側に離間して高さが低い溢流板を設けて溢流域を画成したから、水圧を更に減じて放出させることができる。
（４）基体は、外面を凹凸のある地盤係止面に形成したから、水圧によって基体がズレたりすることがない安定性に優れた田面削剥防止桝として使用できる。
（５）基体には緩衝板及び／又は溢流板を着脱可能に設けたから、水量の少ない時期には水勢減衰板及び／又は溢流板を外すことで、水田への給水を効率的に行うことができる。
【発明を実施するための最良の形態】
【００１１】
以下、本発明の実施の形態を図面に基づき詳述する。図において、１は田面削剥防止桝、２は該田面削剥防止桝１を構成するコンクリート製の基体で、該基体２は略四角形の底部３と、該底部３の後辺から起立し、下端側に流入口４Ａが形成してある後壁部４と、該後壁部４の両端に連続して底部３の左右側辺から起立する一対の側壁部５、５とによって、流入口４Ａに対向する他側が開放した平面略冂字状に一体に成形してある。
【００１２】
そして、側壁部５、５は、内側面５Ａに前後に離間して各一対の支持溝５Ｂ、５Ｂ、５Ｃ、５Ｃが対向して縦方向に形成してあり、後述する緩衝板６、溢流板８を夫々支持するようになっている。また、各側壁部５は、外面に縦長の凹部を複数形成して地盤との係合力を高めた地盤係止面５Ｄとしてあり、埋設する畦２１との密着性を高めて水圧によって基体２が位置ズレするのを可及的に予防している。
【００１３】
他方、６は基体２に嵌着する緩衝板で、該緩衝板６は前記一対の支持溝５Ｂ、５Ｂに嵌入する横幅と、流入口４Ａの直径より高さ寸法Ｈ１のある四角形のコンクリート板からなる。そして、緩衝板６は一対の支持溝５Ｂ、５Ｂに挿脱可能に挿装して下端面６Ａを底部３に接することにより、基体２内には流入口４Ａに連通する水勢減衰域７を画成してある。
【００１４】
また、８は前記緩衝板６から離間して基体２に嵌着した溢流板で、該溢流板８は一対の支持溝５Ｃ、５Ｃに嵌入する横幅と、緩衝板６より低い高さＨ２に設定した四角形のコンクリート板からなる。そして、溢流板８は一対の支持溝５Ｃ、５Ｃに挿脱可能に挿装し、下端面８Ａを底部３に接した状態にして設けることにより、基体２内の緩衝板６と溢流板８との間は溢流域９に画成してある。
【００１５】
本実施の形態に係る田面削剥防止桝１は上述の構成からなり、用水路２２と水田２４との間に位置して畦２１に略全体を埋設した状態で設置し、用水路２２とは供給管２３を介して連通してある。用水路２２の水は供給管２３から流入口４Ａを介して田面削剥防止桝１の水勢減衰域７に流入し、緩衝板６に当って水勢減衰域７内で反転流動することで水圧が減じられる。そして、流入水は緩衝板６をオバーフローして溢流域９に流入し、溢流域９内を流動して更に水圧が減じられて溢流板８をオバーフローして水田２４側へと緩やかに流出する。
【００１６】
このように、用水路２２の水は水田２４に直接放出せずに、緩衝板６と溢流板８を設けた田面削剥防止桝１に導入し、水勢減衰域７と溢流域９で水圧を減じて緩やかに水田２４に放出するようにしたから、水圧で稲が流出したり、田面２４Ａが削剥されて稲の不成育域が形成されるのを確実に防止することができる。
【００１７】
なお、本実施の形態では基体２に緩衝板６と溢流板８を設ける構成にしたが、用水路２２の水量や水圧、給水時期に応じて緩衝板６のみを設ける構成にしてもよいし、緩衝板６を２枚以上設ける構成にしてもよい。
【００１８】
また、水圧に対する基体２の安定性を高めるため、底部３の下面も凹凸面に形成して地盤との係合力の高い地盤係止面にしてもよい。
【図面の簡単な説明】
【００１９】
【図１】図１乃至図３は本発明の実施の形態に係り、図１は田面削剥防止桝の一部を破断にして示す外観斜視図である。
【図２】田面削剥防止桝の縦断面図である。
【図３】田面削剥防止桝の設置状態を示す説明図である。
【図４】図４及び図５は従来技術に係り、図４は用水路から水田に給水する構成の説明図である、
【図５】水圧によって稲が流失し、田面に不生育域が形成された状態の説明図である。
【符号の説明】
【００２０】
２      基体
４Ａ    流入口
５Ｄ    地盤係止面
６      緩衝板
７      水勢減衰域
８      溢流板
９      溢流域
２２    用水路
【図１】
2010004845.tif 000003
【図２】
2010004845.tif 000004
【図３】
2010004845.tif 000005
【図４】
2010004845.tif 000006
【図５】
2010004845.tif 000007